(57)【特許請求の範囲】
【請求項１】
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品と、とからなるとともに、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とされ、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位とされ、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位とされ、
（エ）前記一方側の線材出し部位および前記他方側の線材出し部位の余分な部位を除き、
（オ）前記第１の曲がり当接固定部位および前記第２の曲がり当接固定部位によって、前記第１の連結パーツおよび前記第２の連結パーツが前記物品本体に接着剤を用いない非接着形態で連結固定形態とされ、この連結固定形態によって、前記第１の連結パーツおよび前記第２の連結パーツに引っ張り荷重が加わっても前記連結固定形態が解除されることなく保持されるようにしてなることを特徴とする装飾品の連結構造。
【請求項２】
第１の曲がり当接固定部位の２箇所が線材通し孔の一方側口縁の２箇所と第１の連結パーツの２箇所によって圧迫挟持されてなる一方側の線材圧迫挟持形態とされ、第２の曲がり当接固定部位の２箇所が線材通し孔の他方側口縁の２箇所と第２の連結パーツの２箇所によって圧迫挟持されてなる他方側の線材圧迫挟持形態とされてなることを特徴とする請求項１に記載の装飾品の連結構造。
【請求項３】
一方側の線材圧迫挟持形態の部位あるいは他方側の線材圧迫挟持形態の部位にあって、一方側口縁あるいは他方側口縁に当る連結線材の縁当り部位が、第１の曲がり当接固定部位あるいは第２の曲がり当接固定部位の外径外面位置よりも内側に位置することにより折れ曲がった線材括れ部位を形成してなることを特徴とする請求項２に記載の装飾品の連結構造。
【請求項４】
一方側の線材出し部位および他方側の線材出し部位の余分な部位を除いた状態において、前記一方側の線材出し部位があった側の連結線材部位に他方の孔口の口縁に掛かる一方の掛かり部位が形成され、前記他方側の線材出し部位があった側の前記連結線材部位に一方の孔口の口縁に掛かる他方の掛かり部位が形成されてなることを特徴とする請求項１〜３のいずれか１項に記載の装飾品の連結構造。
【請求項５】
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品とからなる装飾品の連結構造の形成方法であって、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とする線材通しループ形成工程と、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位の形成工程と、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位の形成工程と、
（エ）前記一方側の線材出し部位および前記他方側の線材出し部位にテンションを掛けて傾斜状態として、前記線材通し孔の前記一方の孔口の口縁に掛かる他方の掛かり部位を形成し、前記他方の孔口の口縁に掛かる一方の掛かり部位を形成して、前記前記一方側の線材出し部位および前記他方側の線材出し部位の余分な部位を除く掛かり部位の形成工程とからなるとともに、
前記他方の掛かり部位が前記一方の孔口の口縁と前記第２の連結パーツによって圧迫挟持形態とされ、前記一方の掛かり部位が前記他方の孔口の口縁と前記第１の連結パーツによって圧迫挟持形態とされるようにしたことを特徴とする装飾品の連結構造の形成方法。
【発明の詳細な説明】
【技術分野】
【０００１】
本発明は、真珠、ビーズ、宝玉、飾りパーツ、装飾パーツなどで線材通し孔を有する孔付連結物品と、環パーツ（連結パーツ）を連結した鎖、リングなどの連結パーツを連結するところを特徴とする装飾品の連結構造、装飾品および装飾品の連結構造の形成方法に関する。
【背景技術】
【０００２】
従来、宝玉１には通孔２が設けられ、この宝玉１を複数個乃至は数十個が前記通孔２内にワイヤー材３（連結線材）を挿通することにより連続的に連結する装身具において、最端の宝玉１’（孔付連結物品）の通し孔２’（線材通し孔）に一方端にフランジ５ａを有する案内保護筒５を通し、宝玉１’（孔付連結物品）から外に突出した部位にランス部５ｂを形成して抜けないように固定し、ワイヤー材３（連結線材）を通し孔２’（線材通し孔）に通し、その出た一方側の線材出し部位に丸環７（連結パーツ）に通して該一方側の線材出し部位を通し孔２’（線材通し孔）に戻し通して連結ループを形成して該連結ループに丸環７（連結パーツ）を取り付け状態とし、ワイヤー材３（連結線材）が通し孔２’（線材通し孔）から抜けないように接着剤８の注入することにより、他方側の側にワイヤー材３（連結線材）を突出させてその部位をかしめてかしめ固定５ｃを形成することにより、あるいは金属製の案内保護筒５にランス部５ｄを切り起こし該ランス部５ｄに再び案内保護筒５内に挿通したワイヤー材３（連結線材）を係止することにより固着するとう宝玉の端部連結方法ないし連結構造が知られている。（例えば、特許文献１）
【先行技術文献】
【特許文献】
【０００３】
【特許文献１】特開平７−１１１９０７号公報
【非特許文献】
【０００４】
【非特許文献１】特になし
【発明の概要】
【発明が解決しようとする課題】
【０００５】
上述した従来技術は、次に述べるような欠点があった。
（１）連結ループと丸環７（連結パーツ）の取り付け関係は、連結ループによる丸環７（連結パーツ）締め付けが無いものである。
このため、宝玉１’（孔付連結物品）と丸環７（連結パーツ）の形態は簡単に動いてしまう、振れてしまうものになるものであった。よって、例えば一本の線材からなる連結パーツに宝玉１’孔付連結物品と丸環からなる連結パーツを連結線材によって連結させた形態では、連結ループによる締め付け固定化がされていないために、線材上を自在に動いてしまう、自在に線上を回ってしまうものとなるもので、所定の位置に堅固にその向きも含めて止め置くことができないものであった。
また、丸環７（連結パーツ）と宝玉１’（孔付連結物品）が直接当り状態とした場合、丸環７（連結パーツ）の動きにより宝玉１’（孔付連結物品）が損傷する（特に真珠玉）ことになるので、丸環７（連結パーツ）と宝玉１’（孔付連結物品）の間にフランジ部４５ａを介在ないし他の部材（例えば、クッション部品４など）を介在させなければならないものであった。
（２）宝玉１’（孔付連結物品）ないし多数個連結された宝玉１の一部が損傷して交換修理をする場合は、ワイヤー材３（連結線材）を切断するのであるが、ワイヤー材３（連結線材）を切断すると該ワイヤー材３（連結線材）が短くなるため、全宝玉を連結した元通りのものにするためには、新たなワイヤー材３（連結線材）を使用しなければならないという欠点を有するものであった。
（３）前記（１）によって、ワイヤー材３（連結線材）を切断した場合には、複数個乃至は数十個の宝玉１が全てバラバラになり（宝玉間にクッション部品４がある場合はそれもバラバラになる）、新たなワイヤー材３（連結線材）にそれらを取り付けなければならないという、煩雑な作業の組立時間がかかるという欠点を有するものであった。
（４）宝玉１’の隣の宝玉１は該宝玉１’に対して回転フリートされているので、使用において宝玉１’と宝玉１の対向面は当り擦れ正面が傷付く（特に真珠玉）という問題が生じ、これを防止するためにシリコンゴム製部材のクッション部品４を介在させなるなどの対策が必要となるものであった。
また、宝玉（孔付連結物品）同士はそれぞれが回転自在での連結であるので、宝玉（孔付連結物品）の一つ一つの向きを固定向きにできないものであった。
（５）連結ループと丸環７（連結パーツ）の取り付け関係は、連結ループによる丸環７（連結パーツ）締め付けが無いものであるため、丸環７（連結パーツ）と宝玉１’（孔付連結物品）が直接当り状態とした場合、丸環７（連結パーツ）の動きにより宝玉１’（孔付連結物品）が損傷する（特に真珠玉）ことになるので、丸環７（連結パーツ）と宝玉１’（孔付連結物品）の間にフランジ部４５ａを介在ないし他の部材（例えば、クッション部品４など）を介在させなければならないものであった。
（６）接着剤を用いたものにあっては、接着剤は変色してしまい美感を損なう、孔付連結物品が金などの高価な貴金属や宝石からなる場合で、その再利用をするものであっては、背着剤により線材通し孔に固着された連結線材を取り除くのに手間がかかってしまうという問題をもつものであった。
【０００６】
本発明は以上のような従来技術の欠点に鑑み、損傷パーツだけを外し交換する修理が可能であるとともに、前記損傷パーツの再利用を容易とする装飾品の連結構造、装飾品および装飾品の連結構造の形成方法を提供することを第１の目的としている。
また、前記第１の目的に加えて、孔付連結物品間に枝分かれの飾り部位を形成させる可能ことができる装飾品の連結構造、装飾品および装飾品の連結構造の形成方法を提供することを第２の目的としている。
また、前記第１、第２の目的に加えて、孔付連結物品と連結パーツとの間や孔付連結物品間に孔付連結物品を損傷させないためのワッシャなどの接触防止部品を介在させることなく、孔付連結物品の損傷が生じない装飾品の連結構造、装飾品および装飾品の連結構造の形成方法を提供することを目的としている。
また、前記第１から第３の目的に加え、例えば線材ないし棒材からなる連結パーツ上に、孔付連結物品をその止め位置および向きを固定状態とすることを実現する装飾品の連結構造、装飾品および装飾品の連結構造の形成方法を提供することを第３の目的としている。
【課題を解決するための手段】
【０００７】
上記目的を達成するために、本発明は以下に述べるような構成としている。
【０００８】
＜請求項１記載の発明＞
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品と、とからなるとともに、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とされ、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位とされ、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位とされ、
（エ）前記一方側の線材出し部位および前記他方側の線材出し部位の余分な部位を除き、
（オ）前記第１の曲がり当接固定部位および前記第２の曲がり当接固定部位によって、前記第１の連結パーツおよび前記第２の連結パーツが前記物品本体に接着剤を用いない非接着形態で連結固定形態とされ、この連結固定形態によって、前記第１の連結パーツおよび前記第２の連結パーツに引っ張り荷重が加わっても前記連結固定形態が解除されることなく保持されるようにしてなることを特徴とする装飾品の連結構造である。
【０００９】
「装飾品」には、装身具、服飾品、身飾り品、ファンシーグッズ、デコレーション、飾り物、オートメント、ジュエリー、小間物、宝飾、室内装飾品などを技術的範疇に含むものである。
本発明においては、「第１の連結パーツ」および「第２の連結パーツ」の「一方側の連結ループ」および「他方側の連結ループ」への取り付け手順、取り付け方ないし取り付け方法を特定するものでも限定するものでもない。いかなる取り付け手順、いかなる取り付け方法による取り付けであっても本発明の技術的範疇に含まれるものである。
「孔付連結物品」には、真珠、宝石、トンボ玉、貴金属製部材、貴金属製部材を除く金属製部材、カットボール、合成樹脂製部材など多様な部材からなるものが含まれる。また、その形状・携帯は球体、楕円体、方形体、多角形体、星形体、円筒体など多様な形態が含まれる。
【００１０】
＜請求項２記載の発明＞
第１の曲がり当接固定部位の２箇所が線材通し孔の一方側口縁の２箇所と第１の連結パーツの２箇所によって圧迫挟持されてなる一方側の線材圧迫挟持形態とされ、第２の曲がり当接固定部位の２箇所が線材通し孔の他方側口縁の２箇所と第２の連結パーツの２箇所によって圧迫挟持されてなる他方側の線材圧迫挟持形態とされてなることを特徴とする請求項１に記載の装飾品の連結構造である。
【００１１】
＜請求項３記載の発明＞
一方側の線材圧迫挟持形態の部位あるいは他方側の線材圧迫挟持形態の部位にあって、一方側口縁あるいは他方側口縁に当る連結線材の縁当り部位が、第１の曲がり当接固定部位あるいは第２の曲がり当接固定部位の外径外面位置よりも内側に位置することにより折れ曲がった線材括れ部位を形成してなることを特徴とする請求項２に記載の装飾品の連結構造である。
【００１２】
＜請求項４記載の発明＞
一方側の線材出し部位および他方側の線材出し部位の余分な部位を除いた状態において、前記一方側の線材出し部位があった側の連結線材部位に他方の孔口の口縁に掛かる一方の掛かり部位が形成され、前記他方側の線材出し部位があった側の前記連結線材部位に一方の孔口の口縁に掛かる他方の掛かり部位が形成されてなることを特徴とする請求項１〜３のいずれか１項に記載の装飾品の連結構造である。
【００１３】
【００１４】
【００１５】
【００１６】
【００１７】
【００１８】
【００１９】
【００２０】
【００２１】
【００２２】
＜請求項５記載の発明＞
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品とからなる装飾品の連結構造の形成方法であって、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とする線材通しループ形成工程と、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位の形成工程と、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位の形成工程と、
（エ）前記一方側の線材出し部位および前記他方側の線材出し部位にテンションを掛けて傾斜状態として、前記線材通し孔の前記一方の孔口の口縁に掛かる他方の掛かり部位を形成し、前記他方の孔口の口縁に掛かる一方の掛かり部位を形成して、前記前記一方側の線材出し部位および前記他方側の線材出し部位の余分な部位を除く掛かり部位の形成工程とからなるとともに、
前記他方の掛かり部位が前記一方の孔口の口縁と前記第２の連結パーツによって圧迫挟持形態とされ、前記一方の掛かり部位が前記他方の孔口の口縁と前記第１の連結パーツによって圧迫挟持形態とされるようにしたことを特徴とする装飾品の連結構造の形成方法である。
【発明の効果】
【００２３】
以上の説明から明らかなように、本発明にあっては次に列挙する効果が得られる。
【００２４】
＜請求項１記載の発明の効果＞
（１）一方側の線材出し部位を引きテンションをかけた状態での一方側の連結ループの引き締めによって、第１の連結パーツを孔付連結物品の物品本体に引きつけ連結線材が該第１の連結パーツに曲がり当接して、その曲がり当接状態が連結線材の硬性と線材通し孔内にある３本以上の該連結線材の該線材通し孔による広がり規制によって固定状態された第１の曲がり当接固定部位とされ、他方側の線材出し部位を引きテンションをかけた状態での他方側の連結ループの引き締めによって、第２の連結パーツを物品本体に引きつけ連結線材が該第２の連結パーツに曲がり当接して、その曲がり当接状態が連結線材の硬性と線材通し孔内にある３本以上の該連結線材の該線材通し孔による広がり規制によって固定状態された第２の曲がり当接固定部位とされ、第１の曲がり当接固定部位および第２の曲がり当接固定部位によって、第１の連結パーツおよび第２の連結パーツが物品本体に接着剤を用いない非接着形態で連結固定形態とされ、この連結固定形態によって、第１の連結パーツおよび第２の連結パーツに引っ張り荷重が加わっても連結固定形態が解除されない装飾品の連結構造および該装飾品の連結構造を有する装飾品を実現するものである。
それは、連結線材は金属製線材ないし鋼線（鋼線の方が好ましい）であるので、その硬質性と折曲がり状態としている線材幅が広がらないように規制することによって、その曲がり（第１の曲がり当接固定部位および第２の曲がり当接固定部位）が容易には解除されない状態とされ、よって、連結線材のテンションが掛かったままの状態での第１の連結パーツおよび第２の連結パーツの孔付連結物品への引き付け状態が維持固定される。
（２）多数の孔付連結物品（例えば真珠玉）を、孔付連結物品のそれぞれの間に鎖からなる連結パーツを介して連結した装飾品（例えばネックレス、ブレスレット）において、一箇所の孔付連結物品が損傷（以下「損傷物品」という）した場合では、その損傷物品と連結パーツを連結している連結線材をニッパーで切断することにより、他の連結箇所に全く関係なく影響を与えることなく取り外すことができ、かつ、新たな孔付連結物品の線材通し孔に新たな連結線材を通し分離した連結パーツを連結することにより、新たな孔付連結物品をつけ直した装飾品の修理を完了とさせることができる。
すなわち、装飾品全体をばらすことも、全体の連結線材を変えることもなく、損傷した孔付連結物品およびその部位に連結線材の交換と連結作業だけの素早く簡単な修理で完了させることができる。
（３）連結パーツと孔付連結物品の連結は、連結線材にテンションが掛かった状態での、連結パーツの孔付連結物品への引き付け圧接形態という堅固な連結固定形態であるので、連結パーツと孔付連結物品の連結部位・連結面が動くことも回ることもなく、よって、使用において孔付連結物品が連結パーツによって傷付く（特に真珠玉）という問題が生じないものである。
（４）複数の孔付連結物品同士を直接当接せての連結形態にあっては、連結線材のテンションが掛かったままの状態での第１の連結パーツおよび第２の連結パーツの複数の孔付連結物品への引き付け状態が維持固定された連結であるので、孔付連結物品同士は圧接連結とされた非回転の連結であるので、宝玉１’（孔付連結物品）同士が回転して擦れて損傷するということが生じないものであり、かつ、孔付連結物品の一つ一つの向きを固定した向きにできるものである。
（５）例えば一本の線材からなる連結パーツに孔付連結物品を、間隔をあけて連結線材によって連結させた形態では（例えば実施例１１、図１４）、孔付連結物品がそれぞれ連結ループによる締め付けによって連結線材上にその向きと一を固定状態とした装飾品を形成できるものである。
（６）孔付連結物品も連結パーツもそれぞれが独立した存在であり、それぞれが独立した連結線材によって連結されている形態であるので、多数の孔付連結物品および連結パーツを使用した装飾品にあっては、全ての孔付連結物品、全ての連結パーツを異なるものにした装飾品を形成することも可能である。
（７）例えば、連結パーツの線材通し孔を０．７ｍｍとし、連結線材を０．２５ｍｍのステンレス鋼線材とするなら、２ｍｍ玉とか３ｍｍ玉というような小さな余り使用価値のない真珠玉を、連結パーツと使用し、小さな真珠玉が装身具全体の美感を形成する重要な価値ある装飾パーツにできるという効果を奏する。すなわち、その使用によって連結部分が連結線材を殆ど認視できないとともに、美感のある連結部分を形成できる重要な装飾パーツにできる。
また、プラチナ、金、銀、チタンなどの金属を始めとする金属製の孔付連結物品では、１ｍｍ以下の小さなものにできるという効果を奏する。
（８）接着剤を用いない非接着形態で連結固定形態とした装飾品の連結構造を実現しているので、接着剤の変色による美感を損なう心配がないという効果を奏する。よって、高価な装飾品の連結構造に最適である。
また、付連結物品が金などの高価な貴金属や宝石からなる場合で、その再利用をするものであっては、連結線材を取り除くことが極めて簡単容易で手間がかからない、そのまま線材通し孔を使えるので汚れを落とすなどしてそのまま再利用することができる。連結線材を取り除きに手間が掛からず、よって、貴金属のみを溶融して再利用することが容易にできる。
接着剤は粘度性の無い正面張力で線材通し孔無いに素早く・速やかに流れ込む（侵入、浸透）する瞬間接着剤がよい。すなわち、孔径０．５ｍｍ〜０．２ｍｍの注入ノズルからの瞬間接着剤、０．５ｍｍ〜０．０５ｍｍの細い棒材の先端に付けた瞬間接着剤、ないし針部材の先端に付けた僅かな（少量の）瞬間接着剤が、線材通し孔の口に接触するだけで該線材通し孔内に自然に素早く該瞬間接着剤が侵入する状態である。
【００２５】
＜請求項２記載の発明の効果＞
請求項１に記載の発明と同様な効果を奏するとともに、次に述べるような効果を奏する。
すなわち、
連結線材が線材通し孔の一方側口縁の２箇所と他方側口縁の２箇所によって線材圧迫挟持形態とされているので、連結線材のテンションが弱り難くかつ連結線材の移動および連結パーツへの圧接曲がりの規制がより強化されるので連結固定形態がより堅固にされるという効果を奏する。
また、この連結線材が線材通し孔の一方側口縁の２箇所と他方側口縁の２箇所によって線材圧迫挟持形態にあっては、一方側の線材出し部位および他方側の線材出し部位も、線材通し孔の口縁、連結パーツおよび連結線材の当接曲がり部位によって圧迫挟持形態とされるので、この点でも、連結固定形態がより堅固にされる。
【００２６】
＜請求項３記載の発明の効果＞
請求項２に記載の発明と同様な効果を奏するとともに、次に述べるような効果を奏する。
すなわち、
一方側の線材圧迫挟持形態の部位あるいは他方側の線材圧迫挟持形態の部位にあって、一方側口縁あるいは他方側口縁に当る連結線材の縁当り部位が、第１の曲がり当接固定部位あるいは第２の曲がり当接固定部位の外径外面位置よりも内側に位置することにより折れ曲がった線材括れ部位を形成してなるので、前記一方側口縁あるいは他方側口縁の内側位置および前記線材括れ部位によって、連結線材への規制はより強固となり、よって、連結固定形態がより堅固になるという効果を奏する。
【００２７】
＜請求項４記載の発明の効果＞
請求項１〜３のいずれか１項に記載の発明と同様な効果を奏するとともに、次に述べるような効果を奏する。
すなわち、
一方の掛かり部位が他方の孔口の口縁に掛かり、他方の掛かり部位が一方の孔口の口縁に掛かる朽ち縁掛かり形態を実現しているので、連結固定形態がより堅固で解除されがたいものにできるという効果を奏する。
特に、請求項２および請求項３の線材圧迫挟持形態による一方の掛かり部位と他方の掛かり部位の掛かり状態は、よりより堅固で解消し難いものとなる。すなわち、一方の掛かり部位、他方の掛かり部位が第１の連結パーツ、第２の連結パーツと線材通し孔の孔口の口縁で圧迫挟持された、すなわち動きの取れない挟持固定形態とされているので、掛かり部位１９および掛かり部位２０が孔口１０、孔口１２の口縁に、動きが取れない形態である外れ無い形態で確り掛かった状態で確り掛かった状態が形成されるので好ましい。
【００２８】
【００２９】
【００３０】
【００３１】
【００３２】
【００３３】
【００３４】
【００３５】
【００３６】
【００３７】
＜請求項５記載の発明の効果＞
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品とからなる装飾品の連結構造の形成方法であって、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とする線材通しループ形成工程と、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位の形成工程と、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位の形成工程と、
（エ）前記一方側の線材出し部位および前記他方側の線材出し部位にテンションを掛けて傾斜状態として、前記線材通し孔の前記一方の孔口の口縁に掛かる他方の掛かり部位を形成し、前記他方の孔口の口縁に掛かる一方の掛かり部位を形成して、前記前記一方側の線材出し部位および前記他方側の線材出し部位の余分な部位を除く掛かり部位の形成工程とからなるとともに、
前記他方の掛かり部位が前記一方の孔口の口縁と前記第２の連結パーツによって圧迫挟持形態とされ、前記一方の掛かり部位が前記他方の孔口の口縁と前記第１の連結パーツによって圧迫挟持形態とされるようにしたことを特徴とする装飾品の連結構造の形成方法であるので、請求項４に記載の発明と同様な効果を奏する。
【図面の簡単な説明】
【００３８】
【図１】本発明の実施例１の製作手順図。
【図２】図１の続き。
【図３】本発明の実施例１の拡大断面図および曲がり当接固定部位を切断した状態の拡大断面図。
【図４】本発明の実施例２の正面図切断断面図、部分拡大平面図および側面図切断断面図。
【図５】本発明の実施例３の断面図。
【図６】本発明の実施例３の断面図。
【図７】本発明の実施例４の断面図。
【図８】本発明の実施例５の正面図切断断面図および側面図切断断面図。
【図９】本発明の実施例６の正面図切断断面図および正面図。
【図１０】本発明の実施例７の正面図切断断面図および正面図。
【図１１】本発明の実施例８の断面図。
【図１２】本発明の実施例９の断面図。
【図１３】本発明の実施例１０の正面図。
【図１４】本発明の実施例１１の正面図。
【図１５】本発明の実施例１２の正面図。
【図１６】本発明の実施例１３を示す従来技術の部分正面図、装飾品の部分正面図および他の装飾品の部分正面図。
【発明を実施するための形態】
【００３９】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００４０】
図１ないし図３に示す本発明の実施例１において１は装飾品であって、この装飾品１は次のような構成となっている。
ステンレス製鋼線材からなる連結線材２と、環パーツからなる連結パーツ３ａ〜３ｅを連結した鎖４と、環パーツからなる連結パーツ５ａ〜５ｅを連結した鎖６と、真珠玉からなる物品本体７、この物品本体７に貫通された連結線材２が３本以上通りかつ連結パーツ３ａおよび連結パーツ５ａが通らない孔径である線材通し孔８とからなる孔付連結物品９と、とからなるとともに、
（ア）図１の（ｃ）図に示す形態である、連結線材２が線材通し孔８に、線材通し孔８の孔口１０側に連結ループ１１が形成された形態とされ、線材通し孔８の孔口１２側に連結ループ１３が形成された形態とされ、連結線材２の線材出し部位１４が孔口１２側から出された形態とされ、連結線材２の線材出し部位１５が孔口１０側から出された形態とされ、連結ループ１１に連結パーツ３ａが通されたパーツのループ通し形態とされ、連結ループ１３に前記連結パーツ５ａが通されたパーツのループ通し形態とされ、よって、線材通し孔８への連結線材２の通しが３本通し形態とされ、
（イ）図２の（ｅ）図に示す形態である、線材出し部位１４を引きテンションをかけた状態での連結ループ１１の引き締めによって、連結パーツ３ａを物品本体７に引きつけ連結線材２が該連結パーツ３ａに曲がり当接して、その曲がり当接状態が連結線材２の硬性と線材通し孔８内にある３本以上の該連結線材２の該線材通し孔８による広がり規制によって固定状態された曲がり当接固定部位１６とされ、
（ウ）図２の（ｅ）図に示す形態である、線材出し部位１５を引きテンションをかけた状態での連結ループ１３の引き締めによって、連結パーツ５ａを物品本体７に引きつけ連結線材２が該連結パーツ５ａに曲がり当接して、その曲がり当接状態が連結線材２の硬性と線材通し孔８内にある前記３本の該連結線材２の該線材通し孔８による広がり規制によって固定状態された曲がり当接固定部位１７とされ、
（エ）図２の（ｆ）図に示す形態である、線材出し部位１４および線材出し部位１５の余分な部位を除き、
（オ）曲がり当接固定部位１６および曲がり当接固定部位１７によって、連結パーツ３ａおよび連結パーツ５ａが物品本体７に接着剤を用いない非接着形態で連結固定形態とされ、この連結固定形態によって、連結パーツ３ａおよび連結パーツ５ａに引っ張り荷重が加わっても連結固定形態が解除されることなく保持されるようにしてなる装飾品の連結構造１８を有してなる構成となっている。
装飾品１は前記（エ）の線材出し部位１４および線材出し部位１５の余分な部位を除いた時点で形成される。
【００４１】
（イ）および（ロ）のテンションの掛けは、線材出し部位１４および線材出し部位１５のそれぞれをペンチやニッパーで挟持し、外側に同時に引っ張りテンションをかけることにより行い、かつ、曲がり当接固定部位１６および曲がり当接固定部位１７も形成する。
この後、線材出し部位１４および線材出し部位１５の余分な部位をニッパーで切断し除くのであるが、このとき、ニッパーで線材出し部位１４を切断しない程度に挟持して該線材出し部位１４を引っ張り（テンションを掛け）孔口１２の縁部位で外側に曲げて掛かり部位１９を形成し孔口１２の縁部位に掛かる該掛かり部位１９を残して（バリ形態に形成されるものを含む）切断処理し、ニッパーで線材出し部位１５を切断しない程度に挟持して該線材出し部位１５を引っ張り（テンションを掛けな）孔口１０の縁部位で外側に曲げて、該孔口１０の縁部位にかかる掛かり部位２０を形成し該掛かり部位２０を残して（バリ形態に形成されるものを含む）切断処理する。
あるいは、ニッパーによる線材出し部位の切断による外側へのバリ状の突出部位を形成して、この突出部位が掛かり部位１９、掛かり部位２０とする形態もよい。
掛かり部位１９、掛かり部位の縁掛かり抜け防止が強固ないし堅固であるためには、下記実施例２で述べている一方側の線材圧迫挟持形態および他方側の線材圧迫挟持形態とするのがよい。すなわち、掛かり部位１９、掛かり部位２０が連結パーツ３ａ、５ａと孔口１０、孔口１２の口縁で圧迫挟持された動きの取れない挟持固定形態とされているので、掛かり部位１９および掛かり部位２０が孔口１０、孔口１２の口縁に、動きが取れない形態である外れ無い形態で確り掛かった状態が形成されている。
こうすることにより、装飾品の連結構造１８の連結線材２のテンション強度を強め、曲がり当接固定部位１６および曲がり当接固定部位１７の連結パーツ３ａおよび連結パーツ５ａへの密着と引っ張りを強化するとともに、掛かり部位１９および掛かり部位２０の線材通し孔８の口縁への掛かりによって、テンション保持力および連結固定形態が強化されたものにしている。
また、図２の（ｃ）〜（ｄ）図の時点で、連結ループ１１と連結パーツ３ａを指などで摘み、連結ループ１３と連結パーツ５ａを指などで摘み、あるいはそれらに棒を通し、それぞれ逆方向に１〜２回ないしそれ以上回してねじり、線材通し孔８内にある連結線材２の三本をねじり重なった状態であるねじり重なり形態とするのがよい。こうすることにより、より連結固定形態を強固なものにできる。
【００４２】
図３の（ｂ）図に示すように、ニッパー等で曲がり当接固定部位１６および曲がり当接固定部位１７を切り離すことにより（線材通し孔８内の３本の連結線材部位は非接着であるのでどちらか一方の切断でもよい）、連結パーツ３ａおよび連結パーツ５ａから孔付連結物品９を切り離すことが簡単素早く行うことができる。
そして、新たな孔付連結物品９ないし他の孔付連結物品を新たな連結線材２で連結した連結固定形態を素早く容易に取り付けることができる。
線材通し孔８内の３本の連結線材部位は非接着とすることにより、曲がり当接固定部位１６および曲がり当接固定部位１７を切断することにより、線材通し孔８内の３本の連結線材も取り除くことができるので、孔付連結物品９が金、高価なダイヤなどの宝石の場合に、それらの再利用の上で有効である。
【００４３】
ステンレス製鋼線材以外の、ピアノ線、バネ用鋼線、チタンおよびチタン合金線、オイルテンパー線、硬鋼線などの鋼線でもよい。
【００４４】
曲がり当接固定部位１６と連結パーツ３ａおよび曲がり当接固定部位１７と連結パーツ５ａあるいはいずれか一方が接着剤（図示せず省略）により固着され、あるいは線材通し孔７内の３本の連結線材２が接着剤（流動性のよい瞬間接着剤がよい）により固着されてなる形態とするのも、連結固定形態をより堅固にするのでよい。
また、前記のように接着剤での固着形態を付加する形態においては、連結線材は鋼線より軟らかい金、プラチナなどの貴金属線材などの非鋼線金属線材、非金属線材である組紐、テグスなどの紐製線材（図示せず省略）あるいは組紐製線材（図示せず省略）とするのもよく、この場合、接着剤は組紐製線材に素早く浸透して固化する流動性のある瞬間接着剤とするのがよい。
特に、連結線材が組紐製線材であり、接着剤が前記組紐製線材に素早く浸透して固化する流動性のある瞬間接着剤であるとともに、前記瞬間接着剤の硬化によって組紐が棒状としたものがよい。
曲がり当接固定部位１６および曲がり当接固定部位１７を切断することにより、接着剤の接着力があっても、接着面積が小さいので孔付連結物品９から連結パーツ３ａおよび連結パーツ５ａは簡単に取り外すことができるが、接着剤を線材通し孔８に注入ないし流入させて該線材通し孔８内の連結線材を固着させる形態であるので、線材通し孔８内には連結線材が残る。したがって、取り外した孔付連結物品を新たな孔付連結物品としての再利用はできない。再利用するためには、ドリルで線材通し孔７を再生する、溶剤で接着剤を除去して線材通し孔７を再生しなければならない。
この接着剤の固着を使用した装飾品の連結構造は、孔付連結物品は損傷した場合は再利用しないで新品に変えるなど、安価な装飾品に使用するのが適している。
【００４５】
装飾品１がアクセサリー、アンクレット、イヤリング、エンゲージリング、チョーカー、ネックレス、バッジ、ピアス、ブレスレット、ブローチ、ペンダント、指輪、レイ、首飾り、記章、根付け、携帯ストラップ、ファッション小物、数珠、帯留め、髪飾り、ジュエリーなどの装身具であるとするのもよい。
【００４６】
前記連結ループ１１に前記連結パーツ３ａが通されたパーツのループ通し形態とされ、前記連結ループ１３に前記連結パーツ５ａが通されたパーツのループ通し形態とされ、よって、前記線材通し孔８への前記連結線材２の通しが３本通し形態とされ状態である図１の（ｃ）図の状態にする手順は次のような方法がある。
（１）方法
連結線材２を線材通し孔８に一本通し状態とし、線材出し部位１５を連結パーツ５ａに通とおして該線材出し部位１５を孔口１２に挿入して孔口１０から出し連結ループ１３を形成し、線材出し部位１４を連結パーツ３ａに通とおして該線材出し部位１４を孔口１０に挿入して孔口１２から出し連結ループ１１を形成する。連結ループ１１を先に形成し連結パーツ３ａを先につける手順でもよい。
（２）方法
連結線材２を二つ折に曲げて連結ループ１３を形成し、連結線材２の他方側を連結パーツ５ａに通した状態にして、合わせ一対状態とした線材出し部位１４、１５を孔口１２に挿入し孔口１０から出し、線材出し部位１４に連結パーツ３ａを通して該線材出し部位１４を孔口１０に挿入して孔口１２からだし連結ループ１１を形成する。
先に連結パーツ３ａを先に取り付け合わせ一対状態とした線材出し部位１４、１５を孔口１０に挿入する手順とするのもよい。
【実施例２】
【００４７】
図４に示す本発明の実施例２において前記実施例１と主に異なる点は、曲がり当接固定部位１６の２箇所が孔８の孔口１０の口縁の２箇所と連結パーツ３ａの２箇所によって圧迫挟持されてなる一方側の線材圧迫挟持形態とされ、曲がり当接固定部位１７の２箇所が孔口１２の口縁の２箇所と連結パーツ５ａの２箇所によって圧迫挟持されてなる他方側の線材圧迫挟持形態とされてなる装飾品の連結構造２２を形成した点にある。
装飾品の連結構造２２にあっては、真珠玉からなる物品本体７の孔口１０、１２の軟らかめの口縁に連結線材２の部位が押し付けられるので、連結線材２は孔口１０、１２の口縁部位を凹ませての凹ませ圧迫挟持形態とされる。この凹ませ圧迫挟持形態によって、連結線材２と孔口１０、１２の口縁部位との接触面積が大きくなりその摩擦抵抗も増大するので、連結線材２のテンションが弱り難くかつ連結線材２の移動および連結パーツ３ａ、５ａへの圧接曲がりの規制がより強化されるので連結固定形態がより堅固にされる。
また、線材出し部位１４、１５も口縁、連結パーツおよび連結線材の当接曲がり部位によって圧迫挟持形態とされるので、この点でも、連結固定形態がより堅固にされる。
【００４８】
図４の図（ｃ）において、線材通し孔の口径は０．７ｍｍであり、連結パーツ３ａ、５ａの線径は１．１ｍｍと線材通し孔８（０．７ｍｍ）より太く、連結線材の線径は０．２５ｍｍを使用している。
線材出し部位１４、１５（図示せず省略）の引っ張りテンションかけによって、連結パーツ３ａおよび連結パーツ５ａは孔付連結物品９に引き付けられ、連結パーツ３ａ、５ａの線径は１．１ｍｍと線材通し孔８（０．７ｍｍ）より太いことから、その引っ張りテンションによって曲がり当接固定部位１６、１７の根本部位は連結パーツ３ａ、５ａと孔口１０、１２の口縁に抑え付けられて強制的にその部位が内側に押し込まれて線材括れ部位４０、線材括れ部位４１（図示せず省略）が形成される。
また、線材出し部位１４、１５を４５度程傾けたままテンションを掛け、その傾きの状態で可能な限り孔付連結物品９に近接した箇所をニッパーで切断し、その傾け近接切断よって、孔口１０、１２の口縁に掛かる該縁より外側に僅かに突出したバリ的な掛顎形態の掛かり部位１９（図示せず省略）、掛かり部位２０が形成される。掛かり部位１９、掛かり部位２０、線材括れ部位４０および線材括れ部位４１によって、装飾品の連結構造２０は解けることなく堅固にその連結を保持することを可能としている。
線材括れ部位の形成は、線材通し孔と連結パーツの間に形成する隙間が無いか、連結線材の線径より狭ければよい。
しかるに、０．７ｍｍの孔には０．２５ｍｍの線材は最大で５本通すことが可能である。線材通し孔を０．７５ｍｍ〜０．８ｍｍとし連結線材を０．２５ｍｍのステンレス鋼線材とすることで、５本の連結線材をたやすく通すことが可能である。
【００４９】
この実施例２は以下に述べる、
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品とからなる装飾品の連結構造の形成方法であって、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とする線材通しループ形成工程と、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位の形成工程と、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位の形成工程と、
（エ）前記一方側の線材出し部位および前記他方側の線材出し部位にテンションを掛けて傾斜状態として、前記線材通し孔の前記一方の孔口の口縁に掛かる他方の掛かり部位を形成し、前記他方の孔口の口縁に掛かる一方の掛かり部位を形成して、前記前記一方側の線材出し部位および前記他方側の線材出し部位の余分な部位を除く掛かり部位の形成工程とからなるとともに、
前記他方の掛かり部位が前記一方の孔口の口縁と前記第２の連結パーツによって圧迫挟持形態とされ、前記一方の掛かり部位が前記他方の孔口の口縁と前記第１の連結パーツによって圧迫挟持形態とされるようにしたことを特徴とする装飾品の連結構造の形成方法、
を実現しているものである。
【実施例３】
【００５０】
図５、６に示す本発明の実施例３において前記実施例１と主に異なる点は、連結パーツ３ａへの連結ループを１回巻とした連結ループ２７によって１回巻形態の曲がり当接固定部位２４を形成し、連結パーツ５ａへの連結ループを１回巻とした連結ループ２８によって１回巻形態の曲がり当接固定部位２５を形成してなる装飾品の連結構造２６を形成した点にある。
【実施例４】
【００５１】
図７に示す本発明の実施例４において前記実施例１と主に異なる点は、物品本体７の線材通し孔８に連絡した、連結パーツ３ａ、連結パーツ５ａの一部ないし全部が（図では一部）入る環部材入孔３０、３１を設けてなる装飾品の連結構造３２を有してなる装飾品３３を形成した点にある。
【実施例５】
【００５２】
図８に示す本発明の実施例５において前記実施例１と主に異なる点は、連結パーツ５ａに替えて単体リングからなる連結パーツ３５（Ｕ字形状のもの、連結線材が嵌る凹み部位を有するものなどでもよい）に変え、孔付連結物品を、連結パーツ３５が全部収納されるパーツ収納孔３６が線材通し孔８に連絡してなる付連結物品３８とした、装飾品３７を形成した点にある。
付連結物品を該孔付連結物品から第２の連結パーツが全部収納されて見えないエンドパーツとした装飾品を形成できる。
【００５３】
さらに、一方側の線材圧迫挟持形態の部位と他方側の線材圧迫挟持形態の部位にあって、孔口１０、１２の口縁に当る連結線材２の縁当り部位が、曲がり当接固定部位１６、１７の外径外面位置よりも内側に位置することにより折れ曲がった線材括れ部位４０、４１を形成してなる装飾品の連結構造４２を形成している。
【実施例６】
【００５４】
図９に示す本発明の実施例６において前記実施例５と主に異なる点は、連結パーツ３ａと付連結物品３８の間に物品本体４７に紐通し孔８と同径の紐通し孔４４を有する付連結物品４５を設け、その装飾品の連結構造４２によって付連結物品３８と孔付連結物品４５を締め付け連結してなる装飾品４６を形成した点にある。
連結パーツ３ａは孔付連結物品４５の紐通し孔４４の孔口１０に引き付け当接された形態で連結されている。
連結パーツ３ａ、孔付連結物品４５および孔付連結物品９は装飾品の連結構造４２によって一体化され、振れは連結パーツ３ａと連結パーツ３ｂにおいての振れ動作となり、連結パーツ３ａ、孔付連結物品４５および孔付連結物品９の接合連結部位は当接固定形態とされて動くことはない。
【実施例７】
【００５５】
図１０に示す本発明の実施例７において前記実施例１と主に異なる点は、付連結物品９の両側に付連結物品４５、４５を１個ずつ配置した付連結物品の３個連結一体化形態とした装飾品４９を形成した点にある。
【実施例８】
【００５６】
図１１に示す本発明の実施例８において前記実施例１と主に異なる点は、連結ループ１３、１５を形成した状態から、線材出し部位１４を第１の連結パーツ５ａに通して線材通し孔８に通して、連結ループ１３に加えて連結ループを形成し、線材出し部位１５を連結パーツ３ａに通して線材通し孔８に通して、連結ループ１１に加えて連結ループが形成を形成し、それによって、連結線材２を締め付けテンション状態にした形態では、曲がり当接固定部位１６、１７に加えて曲がり当接固定部位５１、５２を形成した二重線材形態とし、線材通し孔８への連結線材２が５本通った５本通り形態とした連結構造を装飾品の連結構造５３としてなる装飾品５４を形成した点にある。
すなわち、連結線材２の連結パーツ３ａおよび連結パーツ５ａへの曲がり当接固定部位の二重線材形態と、線材通し孔８への連結線材２が５本通った５本通り形態となるので、引っ張り強度が強化され連結固定形態もより強固なものとなる。
【実施例９】
【００５７】
図１２に示す本発明の実施例９において前記実施例１と主に異なる点は、連結パーツ５ａを大きめなリング部材からなる連結パーツ５６に変えてなる装飾品５７を形成した点にある。
【実施例１０】
【００５８】
図１３に示す本発明の実施例１０において前記実施例１と主に異なる点は、装飾品１の部位を多数連結してなる装飾品５９を形成した点にある。（上図）
また、連結する２個の孔付連結物品９の間とその両側に線材通し孔（図示せず省略）を有する円盤飾り６０、６０、６０を一区切りとして、それを３つ連結してなる装飾品６１を形成した点にある。（下図）
【実施例１１】
【００５９】
図１４に示す本発明の実施例１１において前記実施例１と主に異なる点は、連結パーツをブレスレット用開閉リング部材からなる連結パーツ６４を一つと、小リング部材からなる連結パーツ６５とし、連結パーツ６４と連結パーツ６５の間に２個の孔付連結物品９を直接当接形態で締め付け連結固定状態としたものを９箇所に、外側に放射状に設けてなる装飾品６６を形成した点にある。
連結パーツ６４が断面が四角形ないし他の多角形である角材であるもがよい。こうすることにより、孔付連結物品９、９の向きが変わらないようにした装飾品とすることができる。
【実施例１２】
【００６０】
図１５に示す本発明の実施例１２において前記実施例１と主に異なる点は、連結パーツをステンレス製鋼線、メッキ鋼線からなる連結パーツ６８、６９とし、その間に孔付連結物品９を一個位置させて装飾品の連結構造８によって連結固定してなるものを多数並べ設けてなる装飾品７０を形成した点にある。（左図）
また、連結パーツ６８、６９の間に（孔付連結物品９−孔付連結物品７１−孔付連結物品９）の連結形態としたものを装飾品の連結構造８によって間隔をあけて多数設け、連結パーツ６８、６９の外側に孔付連結物品７２を連結パーツ６５の装飾品の連結構造８によって間隔をあけて多数設けてなる装飾品７３を多数形成した点にある。（右図）
【実施例１３】
【００６１】
図１６に示す本発明の実施例１３において、図１６の図（ｂ）に示すものは装飾品の連結構造１８を有するネックレスである装飾品７５であり、図１６の図（ｃ）に示すものはネックレスである装飾品７６の連結構造１８を有する装飾品７６である。
【００６２】
図１６の図（ｂ）に示すネックレスである装飾品７５は、その着脱連結部７７が、プレート形態のプレート本体７８に掛け孔７９、８０を有するプレートパーツ８１と、リング本体８２に掛け孔８０に着脱自在形態で連結される、指掛け８３に掛けた指で開閉する開閉掛けピン８４を有し、その反対側外面に閉じ環８５を有してなる引き環８６とからなっている。
掛け孔７９には端部が熔接などで完全閉じ形態の環部材である閉じ環からなる連結パーツ８７が取り付けられ、連結パーツ８７と鎖４の端環である連結パーツ３ａとがその間に略２ｍｍから３ｍｍ径の真珠玉、金属玉、ガラス玉などの孔付き連結物品８８を０．２５ｍｍのステンレス鋼線の連結線材２ａによる装飾品の連結構造１８によって連結されている。
閉じ環８５には端部が熔接などで完全閉じ形態の環部材である閉じ環からなる連結パーツ８９が取り付けられ、連結パーツ８９と鎖６の端環である連結パーツ５ａとがその間に略２ｍｍから３ｍｍ径の真珠玉、金属玉、ガラス玉などの孔付き連結物品９０を０．２５ｍｍのステンレス鋼線の連結線材２ａによる装飾品の連結構造１８によって連結されている。
【００６３】
図１６の図（ｃ）に示すネックレスである装飾品７６は、前記装飾品７５構成にあって、閉じ環８７、８９を設け介さない連結構造としたものである。
すなわち、プレート本体７８を連結パーツとして、該連結パーツであるプレート本体７８と連結パーツ３ａとが孔付き連結物品８８よる装飾品の連結構造１８によって連結している。
また、閉じ環８５を連結パーツとして、該連結パーツである閉じ環８５と連結パーツ５ａとが孔付き連結物品９０よる装飾品の連結構造１８によって連結されている。
【００６４】
図１６の図（ａ）に示すネックレスである装飾品９１は、鎖４、６との連結を両端が接続されない非閉じ環９２、９３を介してプレートパーツ８１、引き環８６を連結してなるものである。
すなわち、着脱連結部７７の部位が全部貴金属製部材になってしまうので、アクセントのある美感を形成できないものであった。
これに対して、本発明の実施例である装飾品７５、７６は、美感を起こさせるアクセントとなる真珠玉などを有する装身具を実現することを可能としている。
【００６５】
《付記》
＜付記１記載の発明の効果＞
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品と、とからなるとともに、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とされ、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位とされ、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位とされ、
（エ）前記一方側の線材出し部位および前記他方側の線材出し部位の余分な部位を除き、
（オ）前記第１の曲がり当接固定部位および前記第２の曲がり当接固定部位によって、前記第１の連結パーツおよび前記第２の連結パーツが前記物品本体に接着剤を用いない非接着形態で連結固定形態とされ、この連結固定形態によって、前記第１の連結パーツおよび前記第２の連結パーツに引っ張り荷重が加わっても前記連結固定形態が解除されることなく保持されるようにしてなることを特徴とする装飾品の連結構造であるで、次に述べるような効果を奏する。
（１）一方側の線材出し部位を引きテンションをかけた状態での一方側の連結ループの引き締めによって、第１の連結パーツを孔付連結物品の物品本体に引きつけ連結線材が該第１の連結パーツに曲がり当接して、その曲がり当接状態が連結線材の硬性と線材通し孔内にある３本以上の該連結線材の該線材通し孔による広がり規制によって固定状態された第１の曲がり当接固定部位とされ、他方側の線材出し部位を引きテンションをかけた状態での他方側の連結ループの引き締めによって、第２の連結パーツを物品本体に引きつけ連結線材が該第２の連結パーツに曲がり当接して、その曲がり当接状態が連結線材の硬性と線材通し孔内にある３本以上の該連結線材の該線材通し孔による広がり規制によって固定状態された第２の曲がり当接固定部位とされ、第１の曲がり当接固定部位および第２の曲がり当接固定部位によって、第１の連結パーツおよび第２の連結パーツが物品本体に接着剤を用いない非接着形態で連結固定形態とされ、この連結固定形態によって、第１の連結パーツおよび第２の連結パーツに引っ張り荷重が加わっても連結固定形態が解除されない装飾品の連結構造および該装飾品の連結構造を有する装飾品を実現するものである。
それは、連結線材は金属製線材ないし鋼線（鋼線の方が好ましい）であるので、その硬質性と折曲がり状態としている線材幅が広がらないように規制することによって、その曲がり（第１の曲がり当接固定部位および第２の曲がり当接固定部位）が容易には解除されない状態とされ、よって、連結線材のテンションが掛かったままの状態での第１の連結パーツおよび第２の連結パーツの孔付連結物品への引き付け状態が維持固定される。
（２）多数の孔付連結物品（例えば真珠玉）を、孔付連結物品のそれぞれの間に鎖からなる連結パーツを介して連結した装飾品（例えばネックレス、ブレスレット）において、一箇所の孔付連結物品が損傷（以下「損傷物品」という）した場合では、その損傷物品と連結パーツを連結している連結線材をニッパーで切断することにより、他の連結箇所に全く関係なく影響を与えることなく取り外すことができ、かつ、新たな孔付連結物品の線材通し孔に新たな連結線材を通し分離した連結パーツを連結することにより、新たな孔付連結物品をつけ直した装飾品の修理を完了とさせることができる。
すなわち、装飾品全体をばらすことも、全体の連結線材を変えることもなく、損傷した孔付連結物品およびその部位に連結線材の交換と連結作業だけの素早く簡単な修理で完了させることができる。
（３）連結パーツと孔付連結物品の連結は、連結線材にテンションが掛かった状態での、連結パーツの孔付連結物品への引き付け圧接形態という堅固な連結固定形態であるので、連結パーツと孔付連結物品の連結部位・連結面が動くことも回ることもなく、よって、使用において孔付連結物品が連結パーツによって傷付く（特に真珠玉）という問題が生じないものである。
（４）複数の孔付連結物品同士を直接当接せての連結形態にあっては、連結線材のテンションが掛かったままの状態での第１の連結パーツおよび第２の連結パーツの複数の孔付連結物品への引き付け状態が維持固定された連結であるので、孔付連結物品同士は圧接連結とされた非回転の連結であるので、宝玉１’（孔付連結物品）同士が回転して擦れて損傷するということが生じないものであり、かつ、孔付連結物品の一つ一つの向きを固定した向きにできるものである。
（５）例えば一本の線材からなる連結パーツに孔付連結物品を、間隔をあけて連結線材によって連結させた形態では（例えば実施例１１、図１４）、孔付連結物品がそれぞれ連結ループによる締め付けによって連結線材上にその向きと一を固定状態とした装飾品を形成できるものである。
（６）孔付連結物品も連結パーツもそれぞれが独立した存在であり、それぞれが独立した連結線材によって連結されている形態であるので、多数の孔付連結物品および連結パーツを使用した装飾品にあっては、全ての孔付連結物品、全ての連結パーツを異なるものにした装飾品を形成することも可能である。
（７）例えば、連結パーツの線材通し孔を０．７ｍｍとし、連結線材を０．２５ｍｍのステンレス鋼線材とするなら、２ｍｍ玉とか３ｍｍ玉というような小さな余り使用価値のない真珠玉を、連結パーツと使用し、小さな真珠玉が装身具全体の美感を形成する重要な価値ある装飾パーツにできるという効果を奏する。すなわち、その使用によって連結部分が連結線材を殆ど認視できないとともに、美感のある連結部分を形成できる重要な装飾パーツにできる。
また、プラチナ、金、銀、チタンなどの金属を始めとする金属製の孔付連結物品では、１ｍｍ以下の小さなものにできるという効果を奏する。
（８）接着剤を用いない非接着形態で連結固定形態とした装飾品の連結構造を実現しているので、接着剤の変色による美感を損なう心配がないという効果を奏する。よって、高価な装飾品の連結構造に最適である。
また、付連結物品が金などの高価な貴金属や宝石からなる場合で、その再利用をするものであっては、連結線材を取り除くことが極めて簡単容易で手間がかからない、そのまま線材通し孔を使えるので汚れを落とすなどしてそのまま再利用することができる。連結線材を取り除きに手間が掛からず、よって、貴金属のみを溶融して再利用することが容易にできる。
接着剤は粘度性の無い正面張力で線材通し孔無いに素早く・速やかに流れ込む（侵入、浸透）する瞬間接着剤がよい。すなわち、孔径０．５ｍｍ〜０．２ｍｍの注入ノズルからの瞬間接着剤、０．５ｍｍ〜０．０５ｍｍの細い棒材の先端に付けた瞬間接着剤、ないし針部材の先端に付けた僅かな（少量の）瞬間接着剤が、線材通し孔の口に接触するだけで該線材通し孔内に自然に素早く該瞬間接着剤が侵入する状態である。
＜付記２記載の発明の効果＞
第１の曲がり当接固定部位の２箇所が線材通し孔の一方側口縁の２箇所と第１の連結パーツの２箇所によって圧迫挟持されてなる一方側の線材圧迫挟持形態とされ、第２の曲がり当接固定部位の２箇所が線材通し孔の他方側口縁の２箇所と第２の連結パーツの２箇所によって圧迫挟持されてなる他方側の線材圧迫挟持形態とされてなることを特徴とする付記１に記載の装飾品の連結構造であるので、付記１に記載の発明と同様な効果を奏するとともに、次に述べるような効果を奏する。
すなわち、
連結線材が線材通し孔の一方側口縁の２箇所と他方側口縁の２箇所によって線材圧迫挟持形態とされているので、連結線材のテンションが弱り難くかつ連結線材の移動および連結パーツへの圧接曲がりの規制がより強化されるので連結固定形態がより堅固にされるという効果を奏する。
また、この連結線材が線材通し孔の一方側口縁の２箇所と他方側口縁の２箇所によって線材圧迫挟持形態にあっては、一方側の線材出し部位および他方側の線材出し部位も、線材通し孔の口縁、連結パーツおよび連結線材の当接曲がり部位によって圧迫挟持形態とされるので、この点でも、連結固定形態がより堅固にされる。
＜付記３記載の発明の効果＞
一方側の線材圧迫挟持形態の部位あるいは他方側の線材圧迫挟持形態の部位にあって、一方側口縁あるいは他方側口縁に当る連結線材の縁当り部位が、第１の曲がり当接固定部位あるいは第２の曲がり当接固定部位の外径外面位置よりも内側に位置することにより折れ曲がった線材括れ部位を形成してなることを特徴とする付記２に記載の装飾品の連結構造であるので、付記２に記載の発明と同様な効果を奏するとともに、次に述べるような効果を奏する。
すなわち、
一方側の線材圧迫挟持形態の部位あるいは他方側の線材圧迫挟持形態の部位にあって、一方側口縁あるいは他方側口縁に当る連結線材の縁当り部位が、第１の曲がり当接固定部位あるいは第２の曲がり当接固定部位の外径外面位置よりも内側に位置することにより折れ曲がった線材括れ部位を形成してなるので、前記一方側口縁あるいは他方側口縁の内側位置および前記線材括れ部位によって、連結線材への規制はより強固となり、よって、連結固定形態がより堅固になるという効果を奏する。
＜付記４記載の発明の効果＞
一方側の線材出し部位および他方側の線材出し部位の余分な部位を除いた状態において、前記一方側の線材出し部位があった側の連結線材部位に他方の孔口の口縁に掛かる一方の掛かり部位が形成され、前記他方側の線材出し部位があった側の前記連結線材部位に一方の孔口の口縁に掛かる他方の掛かり部位が形成されてなることを特徴とする付記１〜３のいずれか１項に記載の装飾品の連結構造であるので、付記１〜３のいずれか１項に記載の発明と同様な効果を奏するとともに、次に述べるような効果を奏する。
すなわち、
一方の掛かり部位が他方の孔口の口縁に掛かり、他方の掛かり部位が一方の孔口の口縁に掛かる朽ち縁掛かり形態を実現しているので、連結固定形態がより堅固で解除されがたいものにできるという効果を奏する。
特に、付記２および付記３の線材圧迫挟持形態による一方の掛かり部位と他方の掛かり部位の掛かり状態は、よりより堅固で解消し難いものとなる。すなわち、一方の掛かり部位、他方の掛かり部位が第１の連結パーツ、第２の連結パーツと線材通し孔の孔口の口縁で圧迫挟持された、すなわち動きの取れない挟持固定形態とされているので、掛かり部位１９および掛かり部位２０が孔口１０、孔口１２の口縁に、動きが取れない形態である外れ無い形態で確り掛かった状態で確り掛かった状態が形成されるので好ましい。
＜付記５記載の発明の効果＞
第１の連結パーツへの一方側の連結ループを１回巻として第１の曲がり当接固定部位を１回巻形態とし、第２の連結パーツへの他方側の連結ループを１回巻として第２の曲がり当接固定部位を１回巻形態としたことを特徴とする付記１〜４のいずれか１項に記載の装飾品の連結構造であるので、付記１〜４のいずれか１項に記載の発明と同様な効果を奏するとともに、次に述べるような効果を奏する。
すなわち、
第１の連結パーツへの一方側の連結ループを１回巻として第１の曲がり当接固定部位を１回巻形態とし、第２の連結パーツへの他方側の連結ループを１回巻として第２の曲がり当接固定部位を１回巻形態としたことによって、連結線材の第１の連結パーツおよび第２の連結パーツへの連結形態が摩擦の大きい解け難いものとなるので、連結固定形態がより堅固になるという効果を奏する。
＜付記６記載の発明の効果＞
一方側の連結ループを一方側の第１の連結ループとし、他方側の連結ループを他方側の第１の連結ループとし、
一方側の線材出し部位を第１の連結パーツに通して線材通し孔に通して、一方側の第１の連結ループに加えて一方側の第２の連結ループが形成され、
他方側の線材出し部位を第２の連結パーツに通して線材通し孔に通して、他方側の第１の連結ループに加えて他方側の第２の連結ループが形成され、
前記線材通し孔への前記連結線材が５本通った５本通り形態としたことを特徴とする付記１〜５のいずれか１項に記載の装飾品の連結構造であるので、付記１〜５のいずれか１項に記載の発明と同様な効果を奏するとともに、次に述べるような効果を奏する。
すなわち、
第１の連結パーツおよび第２の連結パーツの連結線材の連結が最低でも３本となり、一方側の線材出し部位および他方側の線材出し部位が圧迫挟持形態とされる場合は５本となり、且つ、第１の連結パーツおよび第２の連結パーツの連結線材の通りが２本通しであるので、引っ張り荷重に対する連結線材の強度が強化されるとともに、連結線材の第１の連結パーツおよび第２の連結パーツへの連結形態が解く摩擦の多い形態となるので、連結固定形態がより堅固になるという効果を奏する。
＜付記７記載の発明の効果＞
第１の連結パーツと第２の連結パーツの間に複数の孔付連結物品が直接当接形態、あるいはワッシャ部材ないしクッション部材を挟んで連結線材によって締め付け連結されてなることを特徴とする付記１〜６のいずれか１項に記載の装飾品の連結構造であるので、付記１〜６のいずれか１項に記載の発明と同様な効果を奏するとともに、次に述べるような効果を奏する。
すなわち、
第１の連結パーツと第２の連結パーツの間に複数の孔付連結物品が直接当接形態、あるいはワッシャ部材ないしクッション部材を挟んで連結線材によって締め付け連結されてなるものであるので、複数の複数の孔付連結物品同士が堅固に連結固定状態とされた装飾品を実現するという効果を奏する。
＜付記８記載の発明の効果＞
第１の連結パーツおよび第２の連結パーツあるいは一方が環パーツ連結形態の鎖であり、物品本体の一方側および他方側あるいはいずれか一方に線材通し孔に連絡した、前記第１の連結パーツおよび前記第２の連結パーツあるいはいずれか一方の連結パーツの一部ないし全部が入る環部材入孔を設けてなることを特徴とする付記１〜７のいずれか１項に記載の装飾品の連結構造であるので、付記１〜７のいずれか１項に記載の発明と同様な効果を奏するとともに、次に述べるような効果を奏する。
すなわち、
環部材入孔に鎖の一部ないし全部が入るので、連結線材による連結部位がかくれるとともに、金製の鎖など軟らかく変形し易い環パーツの鎖の場合、その変形を阻止して連結固定形態が保持されるようにできるという効果を奏する。
＜付記９記載の発明の効果＞
第２の連結パーツが全部収納されるパーツ収納孔が線材通し孔に連絡しても設けられてなることを特徴とする付記１〜７のいずれか１項に記載の装飾品の連結構造であるので、付記１〜７のいずれか１項に記載の発明と同様な効果を奏するとともに、次に述べるような効果を奏する。
すなわち、
第２の連結パーツが全部収納されるバーツ収納孔が線材通し孔に連絡しても設けられてなる構成としたことにより、孔付連結物品を該孔付連結物品から第２の連結パーツが全部収納されて見えないエンドパーツにできるという効果を奏する。
＜付記１０記載の発明の効果＞
第１の曲がり当接固定部位と第１の連結パーツおよび第２の曲がり当接固定部位と第２の連結パーツあるいはいずれか一方が接着剤により固着され、あるいは線材通し孔内の連結線材が接着剤により固着されてなることを特徴とする付記１〜９のいずれか１項に記載の装飾品の連結構造であるので、付記１〜９のいずれか１項に記載の発明と同様な効果を奏するとともに、次に述べるような効果を奏する。
すなわち、
一方側の連結ループと第１の連結パーツおよび他方側の連結ループと第２の連結パーツあるいはいずれか一方が接着剤により接着され、あるいは線材通し孔内の連結線材が接着剤により接着したことによって、連結固定形態が保持力を強化することになるとともに、比較的軟らかな金属製線部材からなる連結線材による連結を可能とするという効果を奏する。
＜付記１１記載の発明の効果＞
連結線材が非金属製線材、非鋼線材の組紐、テグスなどの紐製線材であるとともに、一方側の連結ループと第１の連結パーツおよび他方側の連結ループと第２の連結パーツが接着剤により固着され、あるいは線材通し孔内の連結線材が接着剤により固着されてなることを特徴とする付記１〜９のいずれか１項に記載の装飾品の連結構造であるので、連結線材が非金属製線材、非鋼線材の組紐、テグスなどの紐製線材であるとともに、一方側の連結ループと第１の連結パーツおよび他方側の連結ループと第２の連結パーツが接着剤により固着され、あるいは線材通し孔内の連結線材が接着剤により固着されてなることを特徴とする付記１〜９のいずれか１項に記載の装飾品の連結構造であるので、次に述べるような効果を奏する。
すなわち、
連結線材が非金属製線材、非鋼線材の組紐、テグスなどの紐製線材であっても、接着剤により固着されていることにより、紐製線材による第１の連結パーツ、孔付連結物品および第２の連結パーツが堅固に連結固定された形態とされるので、このような形態としても、付記１の発明の効果で述べた（１）〜（６）と略同様な効果を奏する。
＜付記１２記載の発明の効果＞
付記１〜付記１１のいずれか１項に記載の装飾品の連結構造を有することを特徴とする装飾品であるので、付記１〜付記１１のいずれか１項に記載の装飾品の連結構造を有することを特徴とする装飾品であるので、付記１〜付記１１のいずれか１項に記載の発明と同様な効果を奏する装飾品となるという効果を奏する。
＜付記１３記載の発明の効果＞
装飾品がアクセサリー、アンクレット、イヤリング、エンゲージリング、チョーカー、ネックレス、バッジ、ピアス、ブレスレット、ブローチ、ペンダント、指輪、レイ、首飾り、記章、根付け、携帯ストラップ、ファッション小物、数珠、帯留め、髪飾り、ジュエリーなどの装身具であることを特徴とする付記１１に記載の装飾品であるので、付記１２に記載の発明と同様な効果を奏する。
＜付記１４記載の発明の効果＞
金属製線材ないし鋼線からなる連結線材と、第１の連結パーツと、第２の連結パーツと、物品本体、この物品本体に貫通された前記連結線材が３本以上通りかつ前記第１の連結パーツおよび前記第２の連結パーツが通らない孔径である線材通し孔とからなる孔付連結物品とからなる装飾品の連結構造の形成方法であって、
（ア）前記連結線材が前記線材通し孔に、前記線材通し孔の一方の孔口側に一方側の連結ループが形成された形態とされ、前記線材通し孔の他方の孔口側に他方側の連結ループが形成された形態とされ、前記連結線材の一方側の線材出し部位が前記他方の孔口側から出された形態とされ、前記連結線材の他方側の線材出し部位が前記一方の孔口側から出された形態とされ、前記一方側の連結ループに前記第１の連結パーツが通されたパーツのループ通し形態とされ、前記他方側の連結ループに前記第２の連結パーツが通されたパーツのループ通し形態とされ、よって、前記線材通し孔への前記連結線材の通しが３本通し形態あるいはそれ以上の通し形態とする線材通しループ形成工程と、
（イ）前記一方側の線材出し部位を引きテンションをかけた状態での前記一方側の連結ループの引き締めによって、前記第１の連結パーツを前記物品本体に引きつけ前記連結線材が該第１の連結パーツに曲がり当接して、その曲がり当接状態が前記連結線材の硬性と前記線材通し孔内にある前記３本以上の該連結線材の該線材通し孔による広がり規制によって固定状態された第１の曲がり当接固定部位の形成工程と、
（ウ）前記他方側の線材出し部位を引きテンションをかけた状態での前記他方側の連結ループの引き締めによって、前記第２の連結パーツを前記物品本体に引きつけ前記連結線材が該第２の連結パーツに曲がり当接して、その曲がり当接状態が前記連結線材の硬性と前記線材通し孔内にある前記３本以上の該連結線材の該線材通し孔による広がり規制によって固定状態された第２の曲がり当接固定部位の形成工程と、
（エ）前記一方側の線材出し部位および前記他方側の線材出し部位にテンションを掛けて傾斜状態として、前記線材通し孔の前記一方の孔口の口縁に掛かる他方の掛かり部位を形成し、前記他方の孔口の口縁に掛かる一方の掛かり部位を形成して、前記前記一方側の線材出し部位および前記他方側の線材出し部位の余分な部位を除く掛かり部位の形成工程とからなるとともに、
前記他方の掛かり部位が前記一方の孔口の口縁と前記第２の連結パーツによって圧迫挟持形態とされ、前記一方の掛かり部位が前記他方の孔口の口縁と前記第１の連結パーツによって圧迫挟持形態とされるようにしたことを特徴とする装飾品の連結構造の形成方法であるので、付記４に記載の発明と同様な効果を奏する。
【産業上の利用可能性】
【００６６】
本発明は、装飾品を製造販売する産業、装身具を製造販売する産業で利用される。
【符号の説明】
【００６７】
１：装飾品、
２、２ａ、２ｂ：連結線材、
３ａ〜３ｎ：連結パーツ、
４：鎖、
５ａ〜５ｎ：連結パーツ、
６：鎖、
７：物品本体、
８：線材通し孔、
９：孔付連結物品、
１０：孔口、
１１：連結ループ、
１２：孔口、
１３：連結ループ、
１４：線材出し部位、
１５：線材出し部位、
１６：曲がり当接固定部位、
１７：曲がり当接固定部位、
１８：装飾品の連結構造、
１９：掛かり部位、
２０：掛かり部位、
２２：装飾品の連結構造、
２４：曲がり当接固定部位、
２５：曲がり当接固定部位、
２６：装飾品の連結構造、
２７：連結ループ、
２８：連結ループ２８、
３０：環部材入孔、
３１：環部材入孔、
３２：装飾品の連結構造、
３３：装飾品、
３５：連結パーツ、
３６：パーツ収納孔、
３７：装飾品、
３８：付連結物品、
４０：線材括れ部位、
４１：線材括れ部位、
４２：装飾品の連結構造、
４４：紐通し孔、
４５：孔５付連結物品、
４６：装飾品、
４７：物品本体、
４９：装飾品、
５１：曲がり当接固定部位、
５２：曲がり当接固定部位、
５３：装飾品の連結構造、
５４：装飾品、
５６：連結パーツ、
５７：装飾品、
５９：装飾品、
６１：円盤飾り、
６２：装飾品、
６４：連結パーツ、
６５：連結パーツ、
６６：装飾品、
６８：連結パーツ、
６９：連結パーツ、
７０：装飾品、
７１：孔付連結物品、
７２：装飾品、
７３：装飾品、
７５：装飾品、
７６：装飾品、
７７：着脱連結部、
７８：プレート本体、
７９：掛け孔、
８０：掛け孔、
８１：プレートパーツ、
８２：リング本体、
８３：指掛け、
８４：開閉掛けピン、
８５：閉じ環、
８６：引き環、
８７：連結パーツ、
８８：連結物品、
８９：連結パーツ、
９０：孔付き連結物品。
９１：装飾品、
９２：非閉じ環、
９３：非閉じ環。
【図１】
0005783416.tif 000002
【図２】
0005783416.tif 000003
【図３】
0005783416.tif 000004
【図４】
0005783416.tif 000005
【図５】
0005783416.tif 000006
【図６】
0005783416.tif 000007
【図７】
0005783416.tif 000008
【図８】
0005783416.tif 000009
【図９】
0005783416.tif 000010
【図１０】
0005783416.tif 000011
【図１１】
0005783416.tif 000012
【図１２】
0005783416.tif 000013
【図１３】
0005783416.tif 000014
【図１４】
0005783416.tif 000015
【図１５】
0005783416.tif 000016
【図１６】
0005783416.tif 000017